【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
被検眼の複数の眼底画像を異なる時間に取得する眼底画像取得手段と、
前記被検眼の複数の断層画像を異なる時間に取得する断層画像取得手段と、
前記被検眼の動き情報を、前記複数の眼底画像から測定する測定手段と、
前記測定された動き情報と前記複数の断層画像の一部とを対応付ける対応付け手段と、を有し、
前記測定手段は、前記動き情報が対応付いている断層画像のうち前記動き情報が対応付かない断層画像に時間的に近接する断層画像の動き情報に基づいて、前記対応付かない断層画像の動き情報を測定することを特徴とする撮像装置。
【請求項２】
前記動き情報が対応付いている複数の断層画像の動き情報と、前記動き情報が対応付かない断層画像の動き情報とに基づいて前記複数の断層画像を合成する合成手段を更に有することを特徴とする請求項１に記載の撮像装置。
【請求項３】
前記動き情報が対応付いている複数の断層画像の動き情報と、前記動き情報が対応付かない断層画像の動き情報とに基づいて前記複数の断層画像を用いて３次元断層画像を生成する生成手段を更に有することを特徴とする請求項１又は２に記載の撮像装置。
【請求項４】
前記生成手段が、前記動き情報から前記複数の断層画像の位置情報を求め、前記求められた位置情報に基づいて３次元断層画像を生成することを特徴とする請求項３に記載の撮像装置。
【請求項５】
前記断層画像取得手段による前記複数の断層画像の取得レートは、前記眼底画像取得手段による前記複数の眼底画像の取得レートよりも大きいことを特徴とする請求項１乃至４のいずれか１項に記載の撮像装置。
【請求項６】
前記断層画像取得手段の断層画像の前記取得レートが、前記眼底画像取得手段の眼底画像の前記取得レートの整数倍であることを特徴とする請求項５に記載の撮像装置。
【請求項７】
前記断層画像に対応付いている前記測定された動き情報をグラフとして表示手段に表示させる表示制御手段を更に有することを特徴とする請求項１乃至６のいずれか１項に記載の撮像装置。
【請求項８】
前記動き情報が対応付いている断層画像のうち前記対応付かない断層画像に時間的に近接する断層画像の動き情報に基づいて、前記対応付かない断層画像の動き情報を予測する予測手段を更に有し、
前記対応付け手段は、前記対応付かない断層画像と前記予測手段で予測した動き情報とを対応付けることを特徴とする請求項１乃至７のいずれか１項に記載の撮像装置。
【請求項９】
被検眼の複数の眼底画像を異なる時間に取得する眼底画像取得手段と、
前記被検眼の複数の断層画像を異なる時間に取得する断層画像取得手段と、
前記被検眼の動き情報を、前記複数の眼底画像から測定する測定手段と、
前記測定された動き情報と前記複数の断層画像の一部とが対応付いている断層画像のうち前記動き情報が対応付かない断層画像に時間的に近接する断層画像の動き情報に基づいて、前記対応付かない断層画像の動き情報を予測する予測手段と、
を有することを特徴とする撮像装置。
【請求項１０】
異なる時間に取得された被検眼の複数の眼底画像から前記被検眼の動き情報を測定し、
前記測定した動き情報と、異なる時間に取得された前記被検眼の複数の断層画像の一部とを対応付け、
前記動き情報が対応付いている断層画像のうち前記動き情報が対応付かない断層画像に時間的に近接する断層画像の動き情報に基づいて、前記対応付かない断層画像の動き情報を測定することを特徴とする画像処理置の制御方法。
【請求項１１】
前記動き情報が対応付いている複数の断層画像の動き情報と、前記動き情報が対応付かない断層画像の動き情報とに基づいて前記複数の断層画像を合成する工程を有することを特徴とする請求項１０に記載の撮像装置の制御方法。
【請求項１２】
前記動き情報が対応付いている複数の断層画像の動き情報と、前記動き情報が対応付かない断層画像の動き情報とに基づいて前記複数の断層画像を用いて３次元断層画像を生成する工程を有することを特徴とする請求項１０又は１１に記載の撮像装置の制御方法。
【請求項１３】
前記動き情報から前記複数の断層画像の位置情報を求め、前記求められた位置情報に基づいて前記３次元断層画像を生成することを特徴とする請求項１２に記載の撮像装置の制御方法。
【請求項１４】
前記複数の断層画像の取得レートは、前記複数の眼底画像の取得レートよりも大きいことを特徴とする請求項１０乃至１３のいずれか１項に記載の撮像装置の制御方法。
【請求項１５】
前記断層画像の前記取得レートが、前記眼底画像の取得レートの整数倍であることを特徴とする請求項１４に記載の撮像装置の制御方法。
【請求項１６】
前記断層画像に対応付いている前記測定された動き情報をグラフとして表示させる工程を有することを特徴とする請求項１０乃至１５のいずれか１項に記載の撮像装置の制御方法。
【請求項１７】
前記動き情報が対応付いている断層画像のうち対応付かない断層画像に時間的に近接する断層画像の動き情報に基づいて、前記対応付かない断層画像の動き情報を予測する工程を有し、
前記対応付ける工程において、前記対応付かない断層画像と前記予測する工程で予測した動き情報とを対応付けることを特徴とする請求項１０乃至１６のいずれか１項に記載の撮像装置の制御方法。
【請求項１８】
異なる時間に取得された被検眼の複数の眼底画像から前記被検眼の動き情報を測定し、
前記測定した動き情報と、異なる時間に取得された前記被検眼の複数の断層画像の一部とを対応付け、
前記動き情報が対応付いている断層画像のうち前記動き情報が対応付かない断層画像に時間的に近接する断層画像の動き情報に基づいて、前記対応付かない断層画像の動き情報を予測して、前記対応付かない断層画像と前記予測した動き情報とを対応付ける工程を有することを特徴とする撮像装置の制御方法。
【請求項１９】
請求項１０乃至１８のいずれか１項に記載の撮像装置の制御方法の各工程をコンピュータに実行させることを特徴とするプログラム。
【手続補正２】
【補正対象書類名】明細書
【補正対象項目名】発明の名称
【補正方法】変更
【補正の内容】
【発明の名称】撮像装置及び撮像装置の制御方法
【手続補正３】
【補正対象書類名】明細書
【補正対象項目名】０００９
【補正方法】変更
【補正の内容】
【０００９】
上記課題を解決するために、本発明に係る撮像装置は、被検眼の複数の眼底画像を異なる時間に取得する眼底画像取得手段と、
前記被検眼の複数の断層画像を異なる時間に取得する断層画像取得手段と、
前記被検眼の動き情報を、前記複数の眼底画像から測定する測定手段と、
前記測定された動き情報と前記複数の断層画像の一部とを対応付ける対応付け手段と、を有し、
前記測定手段は、前記動き情報の対応付いている断層画像のうち前記動き情報が対応付かない断層画像に時間的に近接する断層画像の動き情報に基づいて、前記対応付かない断層画像の動き情報を測定することを特徴とする。
【手続補正４】
【補正対象書類名】明細書
【補正対象項目名】００１０
【補正方法】変更
【補正の内容】
【００１０】
また、上記課題を解決するために、本発明に係る撮像装置の制御方法は、異なる時間に取得された被検眼の複数の眼底画像から前記被検眼の動き情報を測定し、
前記測定した動き情報と、異なる時間に取得された前記被検眼の複数の前記断層画像の一部とを対応付け、
前記複数の断層画像の取得レートは前記複数の眼底画像の取得レートよりも大きく、
前記動き情報が対応付いている断層画像のうち前記動き情報が対応付かない断層画像に時間的に近接する断層画像の動き情報に基づいて、前記対応付かない断層画像の動き情報を測定することを特徴とする。